(57)【要約】【課題】棚板を薄くすることができ、棚板間における商品陳列のためのスペースを広くとれるとともに、特有の商品演出効果が得られるようにした商品陳列棚における棚板照明装置を提供する。【解決手段】商品陳列棚１における棚板９ｂの下面に照明灯１２を取り付けるとともに、棚板９ｂにおいて、照明灯１２よりも前方にスリット１４を穿設し、かつスリット１４に対し、照明灯１２から前方に発せられた光線１８を取り入れて偏向させるとともに、スペクトル１９に分散させて棚板９ａ、９ｂの上方後部に向けて射出するプリズム１５を上方から嵌合する。【選択図】        図２
2005040272.tif 000002
【特許請求の範囲】
【請求項１】
商品陳列棚における棚板の下面に照明灯を取り付け、前記棚板にスリットを穿設し、このスリットに、前記照明灯から発せられた光線を偏向して、棚板上の所望の方向に照射するようにした偏向手段を設けた商品陳列棚における棚板照明装置において、前記照明灯を、偏向手段から側方にずらして棚板の下面に取り付けたことを特徴とする商品陳列棚における棚板照明装置。
【請求項２】
棚板をスチール製とし、かつ偏向手段の下部を棚板の下方に突出させて照明灯と対向するようにした請求項１記載の商品陳列棚における棚板照明装置。
【請求項３】
照明灯を棚板下面の前部に取り付け、かつそれより前方にスリットを設けた請求項１または２記載の商品陳列棚における棚板照明装置。
【請求項４】
偏向手段を、一角部が真上を向くようにした横長プリズムとし、これによって、照明灯から発せられた光線の一部を偏向し、かつスペクトルに分散させて、棚板より上方に向けて照射するようにした請求項１〜３のいずれかに記載の商品陳列棚における棚板照明装置。
【請求項５】
偏向手段の下方に、照明灯からの光線を収集して偏向手段に誘導する反射鏡を設けた請求項１〜４のいずれかに記載の商品陳列棚における棚板照明装置。
【請求項６】
反射鏡を、スリットの一方の側縁から他方の側縁に向かって斜め下方に向けて設け、かつその上に偏向手段を載置して支持するようにした請求項５記載の商品陳列棚の棚板照明装置。
【発明の詳細な説明】
【０００１】
【発明の属する技術分野】
本発明は、商品陳列棚における棚板上に陳列される商品を効果的に演出しうるようにした商品陳列棚における棚板照明装置に関する。
【０００２】
【従来の技術】
商品陳列棚において、各段の棚板上に商品を陳列する場合、各棚板の下面に照明灯を取り付けて、下段の棚板上に陳列された商品を明るく照らし出すことにより、顧客の購買意欲を増進させようとする試みは、従来から行われている。
【０００３】
これに対して、特許文献１には、木製等の厚い棚板の下面前部に、従来と同様に照明灯を取り付けるとともに、この照明灯の直上の棚板部分にスリットを設け、このスリットに断面正方形のプリズムを一角が真上を向くように嵌着して、照明灯から上方に射出された光線を、棚板上の後方へ偏向かつ分散させることにより、棚板上の商品を下方からも照らし出すことができるようにした照明装置が記載されている。この照明装置によれば、プリズムによって照明光が構成スペクトルに分散されることにより、単一光の照射だけでは見られなかった商品演出効果が得られる。
【０００４】
【特許文献１】
特開２００１ー２３８７７４号公報
【０００５】
【発明が解決しようとする課題】
しかし、上記特許文献１の照明装置の場合、照明灯をプリズムの直下に配置しているので、照明灯が棚板の下方に露出しないようにするためには、棚板全体の厚さを大としなければならず、その結果、商品を陳列するための有効なスペースが狭くならざるを得ない。
【０００６】
本発明は、上記事情に鑑み、棚板の厚さを小とすることができ、棚板間における商品陳列のための有効スペースを広くとれるとともに、商品演出効果を高めることができるようにようにした商品陳列棚における棚板照明装置を提供することを目的としている。
【０００７】
【課題を解決するための手段】
本発明によると、上記課題は、次のようにして解決される。
（１）商品陳列棚における棚板の下面に照明灯を取り付け、前記棚板にスリットを穿設し、このスリットに、前記照明灯から発せられた光線を偏向して、棚板上の所望の方向に照射するようにした偏向手段を設けた商品陳列棚における棚板照明装置において、前記照明灯を、偏向手段から側方にずらして棚板の下面に取り付ける。
【０００８】
（２）上記（１）項において、棚板をスチール製とし、かつ偏向手段の下部を棚板の下方に突出させて照明灯と対向するようにする。
【０００９】
（３）上記（１）または（３）項において、照明灯を棚板下面の前部に取り付け、かつそれより前方にスリットを設ける。
【００１０】
（４）上記（１）〜（３）項のいずれかにおいて、偏向手段を、一角部が真上を向くようにした横長プリズムとし、これによって、照明灯から発せられた光線の一部を偏向し、かつスペクトルに分散させて、棚板より上方に向けて照射するようにする。
【００１１】
（５）上記（１）〜（４）項のいずれかにおいて、偏向手段の下方に、照明灯からの光線を収集して偏向手段に誘導する反射鏡を設ける。
【００１２】
（６）上記（５）項において、反射鏡を、スリットの一方の側縁から他方の側縁に向かって斜め下方に向けて設け、かつその上に偏向手段を載置して支持するようにする。
【００１３】
【発明の実施の形態】
以下、本発明の一実施形態を、添付の図面を参照して説明する。
【００１４】
図１は、本発明の一実施形態に係る棚板照明装置を備える商品陳列棚の一部分解斜視図であり、図２は図１のＩＩ−ＩＩ線断面図である。
【００１５】
商品陳列棚（１）は、左右１対の支柱（２）（２）を備え、両支柱（２）（２）は、それぞれその上端部同士と下端部同士を、上部連結材（３）と下部連結材（４）によって連結されている。また、これら支柱（２）（２）と上部連結材（３）および下部連結材（４）によって前方背面パネル（５）と後方背面パネル（図示せず）が互いに前後に離間して支持されている。前方背面パネル（５）の左縁と左の支柱（２）との間には、例えば塩化ビニルからなる可撓性閉塞部材（６）が設けられており、両背面パネル（５）と可撓性閉塞部材（６）および両支柱（２）（２）によって取り囲まれた空間は、この商品陳列棚において用いる照明灯用の配線ダクトとなっている。
【００１６】
支柱（２）（２）の下端部前方にはベース棚（７）が設けられ、他方ベース棚（７）の上方には、各１対の棚板ブラケット（８）（８）を介して、スチール製の薄い２枚の棚板（９ａ）（９ｂ）が架設されている。支柱（２）（２）の前面には上下方向に等間隔で係合孔（１０）が穿設されており、棚板ブラケット（８）の後端部に設けた鉤爪（図示せず）を取付け孔（１０）に係合させることにより、棚板ブラケット（８）を任意の高さに取り付けることができるようになっている。
【００１７】
左右１対の棚板ブラケット（８）（８）には、棚板（９ａ）を支持するための２本の横杆（１１ａ）（１１ｂ）が架設されており、このうち前方の横杆（１１ａ）の前面には、左右方向を向く蛍光灯とした照明灯（１２）が取り付けられている。なお、この構成は、図示はしていないが、下段の棚板（９ｂ）についても同様である。
【００１８】
給電用コンセント（図示せず）に接続された配線ケーブル（１３）は、ベース棚（７）の下部に納められた照明灯用の各別の安定器（図示せず）を経て、左の支柱（２）の下端部において、顧客の目に触れないよう、可撓性閉塞部材（６）を押し広げて後方の配線ダクトに納められている。そして、この配線ケーブル（１３）は、対応する照明灯が取り付けられた左方の棚板ブラケット（８）の取付け端から可撓性閉塞部材（６）を押し広げて配線ダクト外に出され、左方の棚板ブラケット（８）の右側を伝わって、２本のコード（１３ａ）（１３ｂ）が照明灯（８）の両端にそれぞれ接続されている。これらのコード（１３ａ）（１３ｂ）は、棚板（９ａ）（９ｂ）と棚板ブラケット（８）に視界を遮られるため、顧客の目には入りにくい。
【００１９】
棚板（９ａ）（９ｂ）の照明灯（１２）より前方の位置には、全幅より若干短い左右方向を向くスリット（１４）が設けられ、このスリット（１４）には、断面正方形のプリズム（１５）が、一角（１５ａ）を真上に向け、かつ前後の角部（１５ｂ）（１５ｃ）をスリット（１４）の前後の縁部（１４ａ）（１４ｂ）に係合させて装着されている。また、スリット（１４）の前方の縁部（１４ａ）からは、後方に向けて斜め４５°に反射鏡（１６）が延設されている。反射鏡（１６）は、プリズム（１５）の前部下面（１５ｄ）に当接して、スリット（１４）に係合しているプリズム（１５）を安定して支持するとともに、さらにプリズム（１５）の下方の角部（１５ｅ）から延出している。
【００２０】
プリズム（１５）と反射鏡（１６）の後方に位置する照明灯（１２）は、照明光（１７）によってその下方にある商品を照らし出すとともに、前方に向かう光線（１８）は、光線（１８ａ）のように直接プリズム（１５）に入射するものもあるが、光線（１８ｂ）のように反射鏡（１６）の延出部（１６ａ）に反射することによってプリズム（１５）に入射するものもある。このように、反射鏡（１６）は、プリズム（１５）に入射する光量を増加させる効果を有している。
【００２１】
プリズム（１５）に入射する光線（１８）は、プリズムへの入射時とプリズムからの射出時に２回屈折することによって、入射時の方向からは偏向する。また、この複数回の屈折によってスペクトル（１９）が分散して、棚板（９ａ）（９ｂ）の上方より後方に向かう。
【００２２】
したがって、例えば棚板（９ｂ）上に陳列されている商品（２０）は、上段の棚板（９ａ）の下面に設置された照明灯（１２）によって前上方から照明光（１７）を受け、その反射光が顧客の目に入ることに加え、前下方から受ける分散したスペクトル（１９）も反射してその反射光も顧客の目に到達する。分散したスペクトルの反射光は独特の商品演出効果を発揮するため、前上方からのスペクトルが混合した白色光だけで商品を照らし出すより、顧客の商品購買意欲が増進されることが期待できる。
【００２３】
この実施形態においては、棚板（９ａ）（９ｂ）をスチール製として十分な強度をもつものにしたため、板厚を薄くすることができ、また、プリズム（１５）を照明灯（１２）より前方に位置させて上下に重ならないようにしているため、棚板の間の商品を陳列できる有効スペースを広く確保できる。そして、プリズム（１５）と照明灯（１２）を重ねて配置しないことによるプリズム（１５）への入射光量の減少は、延出部（１６ａ）をもつ反射鏡（１６）によって補償している。
【００２４】
【発明の効果】
（１）請求項１記載の発明によれば、商品陳列棚の棚板上に陳列される商品は、その商品が陳列されている棚板の下面に取り付けられた照明灯から発せられ、照明灯から水平方向に離れた位置にある偏向手段とスリットを経由した光線によって、下側から照らし出されるため、特有の商品演出効果を得ることができる。
また、照明灯と偏向手段の水平方向の位置をずらしてあるため、偏向手段を照明灯の直上に配置する場合と比べて、棚板の厚さを小とすることができ、もって、棚板下方の商品陳列スペースを大きくとることができる。
【００２５】
（２）請求項２記載の発明によれば、例えば木製の棚板に比べて、棚板を著しく薄くすることができ、商品の陳列スペースを広く確保することができる。
【００２６】
（３）請求項３記載の発明によれば、下段の棚板に陳列された商品を前方から照らし出すことができるため、顧客の目に入る反射光をより多く、すなわち明るくすることができる。さらに、照明灯と偏向手段との距離を短くすることができるため、照明灯前方に設けられる偏向手段に入射する光量も、拡散が抑えられることによって、多くすることができる。
【００２７】
（４）請求項４記載の発明によれば、照明灯からの光線が、プリズムを通過する際に、スペクトルに分散されて、棚板上の商品を照射するので、スペクトルが混合された白色光の照明によっては得ることのできない特有の商品演出効果を得ることができる。
【００２８】
（５）請求項５記載の発明によれば、照明灯から偏向手段に入射する光量をより多く確保することができる。
【００２９】
（６）  請求項６記載の発明によれば、反射鏡に、偏向手段支持材の役割も果たさせることができる。
【図面の簡単な説明】
【図１】本発明の一実施形態に係る棚板照明装置を備えた商品陳列棚の一部分解斜視図である。
【図２】図１のＩＩ−ＩＩ線に沿う拡大縦断側面図である。
【符号の説明】
（１）商品陳列棚
（２）支柱
（３）上部連結材
（４）下部連結材
（５）前方背面パネル
（６）可撓性閉塞部材
（７）ベース棚
（８）棚板ブラケット
（９ａ）（９ｂ）棚板
（１０）係合孔
（１１ａ）（１１ｂ）横杆
（１２）照明灯
（１３）配線ケーブル
（１３ａ）（１３ｂ）コード
（１４）スリット
（１５）プリズム
（１６）反射鏡
（１６ａ）延出部
（１７）照明光
（１８）（１８ａ）（１８ｂ）光線
（１９）スペクトル
（２０）商品
【図１】
2005040272.tif 000003
【図２】
2005040272.tif 000004